(57)【要約】【課題】ユーザが自己の嗜好に合った番組を容易に探し出すことができ、且つ、受信装置を容易に設置し得る放送システム、及びそれに用いられる放送装置を提供する。【解決手段】  伝送路１６を介して番組の放送信号を送出する放送装置１と、放送信号を受信する複数の受信装置１１とを備えた放送システムを用いる。放送装置１には、伝送路１６とは別のコンピュータネットワーク１７を介して外部の端末装置１８に接続される検索部２を備えさせる。検索部２は、端末装置１８から、複数の受信装置のいずれかを特定する識別子（ユーザＩＤ）と共にキーワードが入力されると、放送装置１が放送を予定している番組の番組情報に基づいて、キーワードに対応する番組を抽出し、抽出した番組を、１６伝送路を介して、ユーザＩＤによって特定される受信装置１１に送信する。【選択図】図１
2008099021.tif 000002
【特許請求の範囲】
【請求項１】
伝送路を介して番組の放送信号を送出する放送装置と、前記伝送路を介して前記放送信号を受信する複数の受信装置とを備えた放送システムであって、
前記放送装置は、前記伝送路とは別のコンピュータネットワークを介して外部の端末装置に接続される検索部を備え、
前記検索部は、前記端末装置から、前記複数の受信装置のいずれかを特定する識別子と共にキーワードが入力されると、前記放送装置が放送を予定している番組の番組情報に基づいて、前記キーワードに対応する番組を抽出し、抽出した前記番組を、前記伝送路を介して、前記識別子によって特定される受信装置に送信することを特徴とする放送システム。
【請求項２】
前記番組情報が、番組のタイトル、番組のジャンル、番組のテーマ、番組内で使用される固有名詞、及び番組の出演者の名前を少なくとも含む情報である請求項１に記載の放送システム。
【請求項３】
前記検索部が、抽出した前記番組を前記識別子毎に蓄積して、前記識別子毎の番組リストを生成し、更に、生成した前記番組リストを、前記伝送路を介して、前記識別子によって特定される受信装置に送信する請求項１に記載の放送システム。
【請求項４】
前記検索部が、前記識別子と、前記複数の受信装置それぞれ毎に付された受信装置識別子とを関連付けて登録している請求項１に記載の放送システム。
【請求項５】
複数の受信装置に向けて、伝送路を介して番組の放送信号を送出する放送装置であって、
前記放送装置は、前記伝送路とは別のコンピュータネットワークを介して外部の端末装置に接続される検索部を備え、
前記検索部は、前記端末装置から、前記複数の受信装置のいずれかを特定する識別子と共にキーワードが入力されると、前記放送装置が放送を予定している番組の番組情報に基づいて、前記キーワードに対応する番組を抽出し、抽出した前記番組を、前記伝送路を介して、前記識別子によって特定される受信装置に送信することを特徴とする放送装置。
【請求項６】
前記番組情報が、番組のタイトル、番組のジャンル、番組のテーマ、番組内で使用される固有名詞、及び番組の出演者の名前を少なくとも含む情報である請求項５に記載の放送装置。
【請求項７】
前記検索部が、抽出した前記番組を前記識別子毎に蓄積して、前記識別子毎の番組リストを生成し、更に、生成した前記番組リストを、前記伝送路を介して、前記識別子によって特定される受信装置に送信する請求項５に記載の放送装置。
【請求項８】
前記検索部が、前記識別子と、前記複数の受信装置それぞれ毎に付された受信装置識別子とを関連付けて登録している請求項５に記載の放送装置。
【発明の詳細な説明】
【技術分野】
【０００１】
本発明は、ケーブルテレビ等のテレビジョン放送に用いられる放送システム、それに利用される放送装置に関する。
【背景技術】
【０００２】
近年、テレビジョン放送を視聴するユーザ（視聴者）のニーズは多種多様化している。そのため、多種多様なニーズに合わせて多数の番組を提供できるケーブルテレビ（以下、「ＣＡＴＶ：Common Antenna Television」という。）が注目を集めており、ＣＡＴＶの加入者数は年々増加している。
【０００３】
ＣＡＴＶでは、放送局は、地上波放送、ＣＳ放送、ＢＳ放送等のテレビジョン信号を受信し、受信したテレビジョン信号を、サービスエリア内の契約ユーザの宅に設置されたＳＴＢ（Set Top Box）に再送出する。ＳＴＢは、テレビジョン信号を映像信号と音声信号とに復元し、これをテレビジョン受像機（ＴＶ）に出力する。このため、ＣＡＴＶに加入したユーザは、通常の地上波放送やＢＳ放送に加え、ＣＳ放送も視聴できる。
【０００４】
また、ＣＡＴＶにおいては、ユーザは、電子番組表（ＥＰＧ：Electric Program Guide）を取得することができる。放送局は、ユーザに対して、テレビジョン信号と共にＥＰＧ情報も送出している。ユーザは、ＴＶの画面にＥＰＧを表示させることができ、ＥＰＧから、放送が予定されている番組に関する情報（番組情報）を得ることができる。
【０００５】
また、近年では、インターネット上においても、ＥＰＧが提供されている。ユーザは、自己のパーソナルコンピュータ（ＰＣ）からインターネットを介して、このＥＰＧのサイトにアクセスすることにより、ＥＰＧを閲覧することができる。また、ユーザが選択した番組に関する情報は、インターネットを経由して、ＥＰＧのサイトから、インターネットに接続されたユーザの受信装置に送られる（例えば、特許文献１参照）。
【特許文献１】特開２００４−１８６７１９号公報
【発明の開示】
【発明が解決しようとする課題】
【０００６】
しかしながら、ＣＡＴＶにおいて用意されているチャンネルの数は、地上波放送、ＣＳ放送、ＢＳ放送それぞれのチャンネルを合わせた数となり、非常に多くなっている。また、ＥＰＧは、一覧表示されている各チャンネルの放送予定の番組のうち、ユーザが選択したものについては、更に詳しい番組の内容を表示するが、従来からのＥＰＧでは、ユーザが自己の嗜好に合った番組を探し出すのに手間がかかってしまう。
【０００７】
一方、特許文献１の発明によれば、ウェブサイトの検索機能により、ユーザは、多くのチャンネルの中から、簡単に、自己の嗜好にあった番組を探し出すことができる。しかしながら、特許文献１に開示のＥＰＧを利用するためには、ＰＣだけでなく、受信装置もインターネットに接続している必要がある。このため、受信装置において、煩雑な受信設定をしなければならず、設置に手間がかかるという問題がある。
【０００８】
本発明の目的は、上記問題を解消し、ユーザが自己の嗜好に合った番組を容易に探し出すことができ、且つ、受信装置を容易に設置し得る放送システム、及びそれに用いられる放送装置を提供することにある。
【課題を解決するための手段】
【０００９】
上記目的を達成するために、本発明における放送システムは、伝送路を介して番組の放送信号を送出する放送装置と、前記伝送路を介して前記放送信号を受信する複数の受信装置とを備えた放送システムであって、前記放送装置は、前記伝送路とは別のコンピュータネットワークを介して外部の端末装置に接続される検索部を備え、前記検索部は、前記端末装置から、前記複数の受信装置のいずれかを特定する識別子と共にキーワードが入力されると、前記放送装置が放送を予定している番組の番組情報に基づいて、前記キーワードに対応する番組を抽出し、抽出した前記番組を、前記伝送路を介して、前記識別子によって特定される受信装置に送信することを特徴とする。
【００１０】
また、上記目的を達成するために、本発明における放送装置は、複数の受信装置に向けて、伝送路を介して番組の放送信号を送出する放送装置であって、前記放送装置は、前記伝送路とは別のコンピュータネットワークを介して外部の端末装置に接続される検索部を備え、前記検索部は、前記端末装置から、前記複数の受信装置のいずれかを特定する識別子と共にキーワードが入力されると、前記放送装置が放送を予定している番組の番組情報に基づいて、前記キーワードに対応する番組を抽出し、抽出した前記番組を、前記伝送路を介して、前記識別子によって特定される受信装置に送信することを特徴とする。
【発明の効果】
【００１１】
以上のように、本発明によれば、ユーザは、ＰＣ等の端末装置によって放送装置にアクセスでき、自己の嗜好に合った番組を容易に探し出すことができる。また、放送装置が抽出した番組情報は、放送信号の伝送路を介して受信装置に送られる。よって、番組情報を受信するために、受信装置をインターネット等のコンピュータネットワークに接続する必要がなく、受信装置の設置は容易なものとなる。
【発明を実施するための最良の形態】
【００１２】
本発明における放送システムは、伝送路を介して番組の放送信号を送出する放送装置と、前記伝送路を介して前記放送信号を受信する複数の受信装置とを備えた放送システムであって、前記放送装置は、前記伝送路とは別のコンピュータネットワークを介して外部の端末装置に接続される検索部を備え、前記検索部は、前記端末装置から、前記複数の受信装置のいずれかを特定する識別子と共にキーワードが入力されると、前記放送装置が放送を予定している番組の番組情報に基づいて、前記キーワードに対応する番組を抽出し、抽出した前記番組を、前記伝送路を介して、前記識別子によって特定される受信装置に送信することを特徴とする。
【００１３】
本発明における放送装置は、複数の受信装置に向けて、伝送路を介して番組の放送信号を送出する放送装置であって、前記放送装置は、前記伝送路とは別のコンピュータネットワークを介して外部の端末装置に接続される検索部を備え、前記検索部は、前記端末装置から、前記複数の受信装置のいずれかを特定する識別子と共にキーワードが入力されると、前記放送装置が放送を予定している番組の番組情報に基づいて、前記キーワードに対応する番組を抽出し、抽出した前記番組を、前記伝送路を介して、前記識別子によって特定される受信装置に送信することを特徴とする。
【００１４】
上記本発明における放送システム及び放送装置においては、前記番組情報としては、番組のタイトル、番組のジャンル、番組のテーマ、番組内で使用される固有名詞、及び番組の出演者の名前を少なくとも含む情報が挙げられる。
【００１５】
また、上記本発明における放送システム及び放送装置においては、前記検索部が、抽出した前記番組を前記識別子毎に蓄積して、前記識別子毎の番組リストを生成し、更に、生成した前記番組リストを、前記伝送路を介して、前記識別子によって特定される受信装置に送信するのが好ましい。この場合、ユーザは、今までに検索された番組の一覧を得ることができる。
【００１６】
更に、上記本発明における放送システム及び放送装置においては、前記検索部は、前記識別子と、前記複数の受信装置それぞれ毎に付された受信装置識別子とを関連付けて登録するのが良い。
【００１７】
（実施の形態）
以下、本発明の実施の形態における放送システム及び放送装置について、図１〜図７を参照しながら説明する。最初に、放送システム及び放送装置の概略構成について図１〜図５を用いて説明する。
【００１８】
図１は、本発明の実施の形態における放送システム及び放送装置の構成を概略的に示す構成図である。図２は、ユーザデータベースに格納されているユーザＩＤの一例を概念的に示す図である。図３は、検索ログデータベースに格納されている検索ログの一例を概念的に示す図である。図４は、番組データベースに格納されている番組情報の一例を概念的に示す図である。図５は、プレイリストＤＢに格納されているプレイリストの一例を概念的に示す図である。
【００１９】
図１に示すように、本実施の形態における放送システムは、放送装置１と、複数の受信装置１１とを備えている。放送装置１は、伝送路１６を介して、複数の受信装置１１に向けて、番組の放送信号を送出している。また、複数の受信装置１１それぞれは、伝送路１６を介して、放送信号を受信している。
【００２０】
本実施の形態では、放送装置１は、ＣＡＴＶ用の放送装置であり、伝送路１６はＣＡＴＶ放送網である。放送装置１は、従来からのＣＡＴＶの放送装置と同様に、放送信号送出部４を備えている。放送信号送出部４は、地上波放送、ＣＳ放送、ＢＳ放送等を受信し、受信した放送信号を受信装置１１に送出する機能を有している。また、放送信号送出部４は、多重化部５と変調部６とを備えている。多重化部５は、外部からの放送信号のＴＳ（Transport Stream）パケットに、ＥＰＧ等の情報のＴＳパケットを多重化させる。変調部６は、ＴＳパケットを変調してＲＦ信号を生成し、このＲＦ信号を伝送路１６へと送出する。
【００２１】
また、受信装置１１は、従来からのＣＡＴＶ用のＳＴＢ（Set Top Box）と同様のものであり、ＣＡＴＶ局と契約しているユーザ（１）、（２）、（３）・・・（ｎ）の宅内に配置されている（ｎ：任意の整数）。なお、本実施の形態において、一の放送装置１の放送信号を受信する受信装置の数は、特に限定されるものではない。
【００２２】
本実施の形態において、受信装置１１は、制御部１２と、復調部１３と、解析部１４と、映像受信部１５とを備えている。図１においては、ユーザ（１）宅に配置された受信装置１１についてのみ構成を図示しているが、他のユーザの受信装置１も、ユーザ（１）の受信装置１１と同一の構成を備えている。
【００２３】
復調部１３は、放送装置から送出されたＲＦ信号を、元のＴＳパケットに復調する。制御部１２は、ユーザからの指示に応じて、受信装置１１の各部の制御を行っている。例えば、ユーザによってチャンネルが選択されると、制御部１２は、選択されたチャンネルを、映像受信部１５に指示する。映像受信部１５は、制御部１２に指示されたチャンネルの放送信号のＴＳパケットを抽出し、更に、これを映像信号及び音声信号に復元して、テレビジョン受像機（以下「ＴＶ」とする。）に出力する。
【００２４】
解析部１４は、復調部１３で復調されたＴＳパケットを解析し、ＴＳパケットに含まれる送信先が適切であるかどうかの判定や、ＥＰＧ等の情報の抽出を行う。更に、解析部１４は、抽出した情報を制御部１２に入力する。この場合、制御部１２は、映像受信部１６に、入力された情報のＴＶ画面への表示を行わせる。
【００２５】
このように、放送装置１及び受信装置１１は、従来からのＣＡＴＶの放送システムで用いられる放送装置及び受信装置と同様の機能を備えているが、以下の点で異なっている。具体的には、放送装置１は、放送信号送出部４に加え、検索部２、パケット変換部３、検索ログデータベース（ＤＢ）７、ユーザデータベース（ＤＢ）８、番組データベース（ＤＢ）９及びプレイリストデータベース（ＤＢ）１０を備えている。
【００２６】
検索部２は、伝送路１６とは別のコンピュータネットワーク１７を介して外部の端末装置１８に接続される。また、検索部２は、端末装置１８から、複数の受信装置１１のいずれかを特定する識別子（ユーザＩＤ）と共にキーワードが入力されると、放送装置１が放送を予定している番組の番組情報に基づいて、キーワードに対応する番組を抽出する。更に、検索部２は、抽出した番組を、伝送路１６を介して、識別子によって特定される受信装置に送信する。
【００２７】
本実施の形態では、コンピュータネットワーク１７はインターネットである。また、本実施の形態では、検索部２は、ＷＥＢサイトを提供するＷＷＷサーバである。端末装置１８と検索部２との接続は、端末装置１８が、検索部２が提供するＷＥＢサイトにアクセスすることによって行われている。
【００２８】
端末装置１８は、各ユーザが使用するＰＣである。なお、本実施の形態においては、端末装置は、インターネットに接続できるものであれば良く、ＰＣ以外の端末装置、例えば、携帯電話、ＰＤＡ、携帯ゲーム機等であっても良い。
【００２９】
また、本実施の形態では、検索部２は、端末装置１８からユーザＩＤが入力されると、ユーザＤＢ８にアクセスする。図２に示すように、ユーザＤＢ８には、ユーザ毎に、受信装置ＩＤとユーザＩＤとが関連付けて格納されている。検索部２は、端末装置１８から入力されたユーザＩＤが、登録されているユーザＩＤに一致するかどうかの判定を行った後、一致する場合は、ユーザＩＤによって特定される受信装置１１の受信装置ＩＤを検出する。
【００３０】
なお、受信装置ＩＤとユーザＩＤとの登録は、ＣＡＴＶ局とユーザとの契約時において、行われている。このとき、図２に示すように、一つの受信装置ＩＤに対して複数のユーザＩＤを登録することもできる。この場合は、契約ユーザは、ユーザＩＤの一つを自分用とし、残りのユーザＩＤを自己の家族用とすることができる。また、ユーザＩＤ毎に、その使用者の人物像、例えば、年齢、職業、性別等を登録することにより、ＣＡＴＶ局においては、番組を嗜好する人物像を特定することができる。
【００３１】
また、検索部２は、端末装置１からユーザＩＤが入力されると、図３に示すように、ユーザＩＤとアクセス日時とを検索ログとして、検索ログＤＢ７に格納する。
【００３２】
更に、本実施の形態では、検索部２は、番組情報ＤＢ９にアクセスすることによって、端末装置１８から入力されたキーワードに一致する番組を抽出する。具体的には、図４に示すように、番組情報ＤＢ９には、放送予定の各番組について、タイトル、ジャンル、テーマ等の項目毎にキーワードが登録されている。検索部２は、入力されたキーワードに一致するキーワードが登録された番組を抽出する。
【００３３】
また、検索部２は、番組の抽出が終了すると、図５に示すように、ユーザＩＤ毎に、抽出した番組を蓄積して、番組リスト（プレイリスト）を生成する。更に、検索部２は、生成した番組リストを、伝送路１６を介して、ユーザＩＤによって特定される受信装置１１に送信する。
【００３４】
具体的には、検索部２は、生成したプレイリストをパケット変換部３に入力する。プレイリストが入力されると、パケット変換部３は、送信先の受信装置の受信装置ＩＤと番組リストとを含むＴＳパケットを生成し、これを放送信号送出部４に入力する。そして、放送信号送出部４の多重化部５は、ＥＰＧ等のＴＳパケットと同様に、パケット変換部３が生成したＴＳパケットも、放送信号のＴＳパケットに多重化させる。その後、変調部６は、この多重化して得られたＴＳパケットをＲＦ信号に変調して、伝送路１７へと送出する。
【００３５】
また、プレイリストを含むＲＦ信号は、受信装置１１によって受信された後、その復調部１３でＴＳパケットに復調される。そして、受信装置１１の解析部１４は、ＴＳパケットに含まれる送信先の受信装置ＩＤと、受信した受信装置１１の受信装置ＩＤとが一致するかどうかを判断する。一致する場合は、解析部１４は、プレイリストを抽出し、これを制御部１２に入力する。制御部１２は、映像受信部１５に、プレイリストのＴＶ画面への表示を行わせる。
【００３６】
ここで、図１に示した本実施の形態における放送システムで行われる処理について、図６を用いて説明する。以下の説明においては、適宜図１〜図５を参酌する。図６は、ユーザが端末装置によって放送装置にアクセスして番組検索を行った場合における放送装置の処理について示すフロー図である。
【００３７】
図６に示すように、先ず、ユーザが、端末装置１８を用いて、検索部２の提供しているＷＥＢサイトにアクセスし、ユーザＩＤを入力すると、検索部２は、認証処理を行い（ステップＳ１）、入力されたユーザＩＤが登録されているかどうか判定する（ステップＳ２）。具体的には、検索部２は、ユーザＤＢ８にアクセスし、入力されたユーザＩＤが、登録されているＩＤのいずれかと一致するかどうかを判定する。
【００３８】
判定の結果、一致しない場合は、検索部２は、コンピュータネットワーク１７を介して、端末装置１８に認証拒否を通知する（ステップＳ３）。その後、検索部２は、再びユーザＩＤが入力されるまで、待機状態となる。
【００３９】
一方、判定の結果、一致する場合は、検索部２は、入力されたユーザＩＤに関連付けられた受信装置１１を特定すると共に、検索ログＤＢ７に、ユーザＩＤとアクセス日時とを検索ログとして格納させる（ステップＳ４）。
【００４０】
次に、検索部２は、ユーザによる端末装置１８からのキーワードの入力を受け付け（ステップＳ５）、入力されたキーワードに基づいて番組検索を行い（ステップＳ６）、更に、入力されたキーワードに適合する番組が存在するかどうか判定する（ステップＳ７）。具体的には、上述したように、検索部２は、番組情報ＤＢ９にアクセスし、入力されたキーワードが、予め格納されている各番組のいずれかのキーワードに一致するかどうか判定する。
【００４１】
番組検索の結果、入力されたキーワードが一致する番組が存在しなかった場合は、検索部２は、コンピュータネットワーク１７を介して、端末装置１８に番組が見付からなかった旨を通知する（ステップＳ８）。その後、検索部２は、新たなキーワードが入力されるまで、待機状態となる。
【００４２】
一方、番組検索の結果、入力されたキーワードに一致する番組が存在した場合は、検索部２は、プレイリストＤＢ１０にアクセスし、ステップＳ１で入力されたユーザＩＤの既に作成されているプレイリストを取得する（ステップＳ９）。更に、検索部２は、ステップＳ７でキーワードが一致すると判定された番組を、ステップＳ９で取得されたプレイリストに追加して、プレイリストを更新する（ステップＳ１０）。続いて、検索部２は、コンピュータネットワーク１７を介して、ステップＳ１０で得たプレイリストを、端末装置１８に送信する（ステップＳ１１）。
【００４３】
次に、検索部２は、ユーザが、端末装置１８を用いて、ステップＳ１０で行ったプレイリストの更新を認めない旨を指示しているかどうか確認する（ステップＳ１２）。ユーザが更新を認めない旨を指示していない場合、即ち、更新を認める場合は、検索部２は、ステップＳ１４を実行し、その後、処理を終了する。一方、ユーザが更新を認めない旨を指示している場合は、検索部２は、ステップＳ１０で追加した番組の削除を実行し（ステップＳ１３）、その後、ステップＳ１４を実行する。
【００４４】
ステップＳ１４において、検索部２は、プレイリストを、ユーザＩＤによって特定される受信装置１１に送信する。具体的には、検索部２は、プレイリストをパケット変換部３に入力する。プレイリストは、パケット変換部３によってＴＳパケットに変換された後、多重化部５によって、放送信号のＴＳパケットに多重化され、その後、変調部６によってＲＦ信号に変換された後、伝送路１７を介して受信装置１１に送出される。
【００４５】
このように、本実施の形態における放送システム及び放送装置によれば、ユーザは、ＰＣ等の端末装置１８を用いて、自己の嗜好に合った番組を簡単に見つけ出すことができる。また、見つけ出された番組は、放送装置の放送網を介して、ユーザの受信装置に送られる。よって、番組情報を受信するために、受信装置をインターネット等のコンピュータネットワークに接続する必要はなく、受信装置の設置が煩雑になることが回避される。
【００４６】
また、本実施の形態においては、ユーザが端末装置１８を用いて検索した番組は、検索が行われる度に蓄積されて行くが、検索された番組であってもユーザにとって不必要な場合がある。このため、本実施の形態では、ユーザの指示に応じて、検索部２が番組リストに含まれる番組を削除することができるようになっている。
【００４７】
この点について図７を用いて説明する。図７は、ユーザが端末装置によって放送装置にアクセスしてプレイリストの編集を行った場合における放送装置の処理について示すフロー図である。なお、以下の説明においても適宜図１〜図５を参酌する。
【００４８】
図７に示すように、先ず、ユーザが、端末装置１８を用いて、ユーザＩＤを入力すると、検索部２は、認証処理を行い（ステップＳ２１）、入力されたユーザＩＤが登録されているかどうか判定する（ステップＳ２２）。一致しない場合は、検索部２は、端末装置１８に認証拒否を通知し（ステップＳ２３）、待機状態となる。一方、一致する場合は、検索部２は、受信装置１１を特定すると共に、検索ログＤＢ７に、検索ログを格納させる（ステップＳ２４）。なお、ステップＳ２１〜Ｓ２４は、図６に示したステップＳ１〜Ｓ４と同様のステップである。
【００４９】
次に、検索部２は、端末装置１８を介して、ユーザからのプレイリストの編集指示を受け付けると（ステップＳ２５）、プレイリストＤＢ１０にアクセスし、ステップＳ２１で入力されたユーザＩＤのプレイリストを取得する（ステップＳ２６）。更に、検索部２は、コンピュータネットワーク１７を介して、取得したプレイリストを端末装置１８に送信する（ステップＳ２７）。この結果、ユーザの端末装置１８の表示画面には、プレイリストが表示され、ユーザは、表示されたプレイリストを見ながら、各番組が必要かそうでないかを検討することができる。
【００５０】
続いて、検索部２は、ユーザによるプレイリストの編集を受け付ける（ステップＳ２８）。具体的には、ユーザが、端末装置１８を介して、必要でない番組を指示した場合は、検索部２は、指示された番組をプレイリストから削除し、プレイストを更新する。そして、検索部２は、更新された新たなプレイリストをプレイリストＤＢ１０に格納させる（ステップＳ２９）。
【００５１】
その後、検索部２は、更新された新たなプレイリストを、ユーザＩＤによって特定される受信装置１１にも送信し（ステップＳ３０）、処理を終了する。なお、ステップＳ３０は、図６に示したステップＳ１４と同様のステップである。このように、本実施の形態によれば、ユーザは、番組の検索処理の後、プレイリストの編集を行うことができ、本当に必要な情報だけを取得することができる。
【００５２】
本実施の形態においては、検索部２は、上述したように、ＷＷＷサーバであり、コンピュータに、図６に示すステップＳ１〜Ｓ１４を具現化させるプログラムをインストールし、このプログラムを実行することによって、構築することができる。また、検索部２は、放送装置１の他の部分とは別の場所に配置されていても良い。
【００５３】
また、本実施の形態において、検索ログＤＢ７、ユーザデータベースＤＢ８、番組ＤＢ９及びプレイリストＤＢ１０は、一又は複数の記憶装置（例えば、ハードディスク）によって構成することができる。更に、これらのＤＢ７〜１０は、検索部２を構成するコンピュータとは別の一又は複数のコンピュータで構成されたファイルサーバであっても良い。ＤＢ７〜１０も、検索部２と同様に、放送装置１の他の部分とは別の場所に配置されていても良い。
【産業上の利用可能性】
【００５４】
以上、本発明によれば、ユーザは自己の嗜好に合った番組を容易に探し出すことができる。また、受信装置の設置を容易なものとできる。よって、本発明の放送システム、及びそれに用いられる放送装置は、産業上の利用可能性を有する。
【図面の簡単な説明】
【００５５】
【図１】図１は、本発明の実施の形態における放送システム及び放送装置の構成を概略的に示す構成図である。
【図２】図２は、ユーザデータベースに格納されているユーザＩＤの一例を概念的に示す図である。
【図３】図３は、検索ログデータベースに格納されている検索ログの一例を概念的に示す図である。
【図４】図４は、番組データベースに格納されている番組情報の一例を概念的に示す図である。
【図５】図５は、プレイリストＤＢに格納されているプレイリストの一例を概念的に示す図である。
【図６】図６は、ユーザが端末装置によって放送装置にアクセスして番組検索を行った場合における放送装置の処理について示すフロー図である。
【図７】図７は、ユーザが端末装置によって放送装置にアクセスしてプレイリストの編集を行った場合における放送装置の処理について示すフロー図である。
【符号の説明】
【００５６】
１  放送装置
２  検索部
３  パケット変換部
４  放送信号送出部
５  多重化部
６  変調部
７  検索ログデータベース
８  ユーザデータベース
９  番組データベース
１０  プレイリストデータベース
１１  受信装置
１２  制御部
１３  復調部
１４  解析部
１５  映像受信部
１６  伝送路（ＣＡＴＶ網）
１７  コンピュータネットワーク（インターネット）
１８  端末装置
【図１】
2008099021.tif 000003
【図２】
2008099021.tif 000004
【図３】
2008099021.tif 000005
【図４】
2008099021.tif 000006
【図５】
2008099021.tif 000007
【図６】
2008099021.tif 000008
【図７】
2008099021.tif 000009